(57)【要約】【課題】  外観上の見栄えが良好で、棚板等の水平取り付け精度を確保することのできる間仕切り壁ユニットを提供する。【解決手段】  本願の間仕切り壁ユニットは、一方の壁３から他方の壁４に向かって床１に一直線上に配設された床用ランナー５に下端部が装着されると共に床の真上に位置されて一方の壁３から他方の壁４に向かって天井に配設された天井用ランナー６に上端部が装着される矩形状の間仕切り用パネル９を有し、間仕切り用パネル９の左右方向両側の上下方向に延びる側端部に上下方向に延びる嵌入溝２３が形成され、棚板等の取り付け金具４６を装着する装着孔２４ａが上下方向に間隔を開けて形成された棚柱２４が嵌入溝２３に嵌入されている。【選択図】  図１１
2006112103.tif 000002
【特許請求の範囲】
【請求項１】
一方の壁から他方の壁に向かって床に一直線上に配設された床用ランナーに下端部が装着されると共に床用ランナーの真上に位置されて一方の壁から他方の壁に向かって天井に配設された天井用ランナーに上端部が装着される矩形状の間仕切り用パネルを有し、該間仕切り用パネルの左右方向両側の上下方向に延びる側端部に上下方向に延びる嵌入溝が形成され、棚板等の取り付け金具を装着する装着孔が上下方向に間隔を開けて形成された棚柱が前記嵌入溝に嵌入されていることを特徴とする間仕切り壁ユニット。
【請求項２】
前記棚柱が前記仕切り用パネルの左右方向一方の側端部にネジ止め固定されることを特徴とする請求項１に記載の間仕切り壁ユニット。
【請求項３】
前記棚柱が前記仕切り用パネルの左右方向両側の側端部にネジ止め固定されることを特徴とする請求項１に記載の間仕切り壁ユニット。
【請求項４】
前記間仕切り用パネルが水平方向に少なくとも複数個に分割された分割パネルから構成されていることを特徴とする請求項２又は請求項３に係わる間仕切り壁ユニット。
【発明の詳細な説明】
【技術分野】
【０００１】
本発明は、棚板等を取り付けることが可能な間仕切り壁ユニットに関する。
【背景技術】
【０００２】
従来から、間仕切り壁ユニットには、棚を取り付けることが可能なものが知られている（例えば、特許文献１参照。）。
【０００３】
この従来の間仕切り壁ユニットでは、床に立設される支柱に間仕切り用パネルを固定するための固定用溝が形成されると共に、その支柱に棚を取り付けるためのアーム金具が嵌合する嵌合孔が形成され、その支柱が棚柱として用いられている。
【特許文献１】特開２０００−８７４７９号公報
【発明の開示】
【発明が解決しようとする課題】
【０００４】
しかしながら、この従来の間仕切り壁ユニットでは、天井用ランナーと床用ランナーとが支柱を境にして分離する構造となっており、支柱を床に立設し、間仕切り用パネルを天井用ランナーと床用ランナーに取り付けて、支柱と間仕切り用パネルとを組み付ける構成となっており、支柱を精度良く垂直に立設することが困難であるので、一方の支柱と他方の支柱とを平行に立設し難く、アーム金具を支柱に取り付けた場合、一方の支柱の取り付け高さ位置と他方の支柱の取り付け高さ位置とに食い違いが生じ、ひいては、棚板を水平に取り付けることができないという不都合を生じる。
【０００５】
また、この従来のものでは、床用ランナー及び天井用ランナーが支柱を境に分割構成とされているために、床及び天井に墨出し線を引いて位置決めを行ったとしても、一方の壁から他方の壁に向かって一直線に床用ランナー及び天井用ランナーを配設し難く、支柱を境にして一方側に設けられた間仕切り用パネルと他方側に設けられた間仕切り用パネルとの間に微妙な食い違いが生じるという不都合もある。
【０００６】
更に、支柱の固定用溝に間仕切り用パネルの端部を挿入して支柱と間仕切り用パネルとを組み付ける構成であるので、支柱の端縁部が外部に露呈することになり、外観上見栄えが悪いという面もある。
【０００７】
加えて、従来のものでは、間仕切り用パネルが大型になり、運搬、施工が不便であるという不都合もある。
【０００８】
本発明は、上記の事情に鑑みて為されたもので、その目的とするところは、外観上の見栄えが良好で、棚板等の水平取り付け精度を確保することのできる間仕切り壁ユニットを提供することにある。
【０００９】
本発明の更なる目的は、運搬、施工が容易な間仕切り壁ユニットを提供することにある。
【課題を解決するための手段】
【００１０】
本願の請求項１に係わる間仕切り壁ユニットの発明は、一方の壁から他方の壁に向かって床に一直線上に配設された床用ランナーに下端部が装着されると共に床用ランナーの真上に位置されて一方の壁から他方の壁に向かって天井に配設された天井用ランナーに上端部が装着される矩形状の間仕切り用パネルを有し、該間仕切り用パネルの左右方向両側の上下方向に延びる側端部に上下方向に延びる嵌入溝が形成され、棚板等の取り付け金具を装着する装着孔が上下方向に間隔を開けて形成された棚柱が前記嵌入溝に嵌入されていることを特徴とする。
【００１１】
本願の請求項２に係わる間仕切り壁ユニットの発明は、前記棚柱が前記仕切り用パネルの左右方向一方の側端部にネジ止め固定されることを特徴とする。
【００１２】
本願の請求項３に係わる間仕切り壁ユニットの発明は、前記棚柱が前記仕切り用パネルの左右方向両側の側端部にネジ止め固定されることを特徴とする。
【００１３】
本願の請求項４に係わる間仕切り壁ユニットの発明は、前記間仕切り用パネルが水平方向に少なくとも複数個に分割された分割パネルから構成されていることを特徴とする。
【発明の効果】
【００１４】
請求項１ないし請求項４に記載の発明によれば、外観上の見栄えが良好で、棚板等の水平取り付け精度を確保することができるという効果を奏する。
【００１５】
特に、請求項４に記載の発明によれば、間仕切り用パネルを水平方向に分割された分割パネルから構成したので、運搬、施工が容易であるという効果を奏する。
【発明を実施するための最良の形態】
【００１６】
以下に、本発明に係わる間仕切り壁ユニットの発明の実施の形態を図面を参照しつつ説明する。
【実施例】
【００１７】
図１は本発明に係わる間仕切り壁ユニットを室内に設けて室内空間を間仕切りした状態を示す概要図であって、１は床、２は天井、３、４は左右方向の壁である。この床１、天井２には図２に示すように、例えば下げ振りＧ（図１７参照）を用いて墨出しが行われ、図３に示すように、床１にはこの墨出し線Ｓに沿って、一方の壁３から他方の壁４に向かって一直線上にアルミニウム製の床用ランナー５が配設され、天井２には床用ランナー５の真上に一方の壁３から他方の壁４に向かって延びるアルミニウム製の天井用ランナー６が配設されている。
【００１８】
その床用ランナー５は図３（ａ）、（ｂ）に示すようにネジ７により床１に固定され、天井用ランナー６はネジ８により天井２に固定される。その床用ランナー５は取り付け壁５ａを有し、天井用ランナー６は取り付け壁６ａを有する。その取り付け壁５ａ、６ａは各ランナー５、６の延びる方向に沿って延び、各取り付け壁５ａ、６ａにはネジ挿通孔５ｂ、６ｂがその延びる方向に適宜間隔を開けて形成されている。
【００１９】
その床用ランナー５と天井用ランナー６とには矩形状の間仕切り用パネル９が配設されるもので、この間仕切り用パネル９は、図４に示すように例えば水平方向に上下三段に分割された矩形状の下段分割パネル１０、中段分割パネル１１、上段分割パネル１２から構成されている。
【００２０】
下段分割パネル１０、中段分割パネル１１、上段分割パネル１２の下部と上部とには図５に示すように例えば単板積層材（ＬＶＬ）１３、１４がそれぞれ設けられている。また、下段分割パネル１０、中段分割パネル１１、上段分割パネル１２の左右方向両端部にも図６に示すように単板積層材（ＬＶＬ）１５、１６がそれぞれ設けられている。その下段分割パネル１０、中段分割パネル１１、上段分割パネル１２には単板積層材（ＬＶＬ）に包囲されるようにしてフェノールフォーム断熱材（断熱性を有する不燃性材）１７が設けられている。これらの下段分割パネル１０、中段分割パネル１１、上段分割パネル１２の厚さ方向両面側には、図７に示すように化粧紙１８が貼り付けられている。この化粧紙１８が貼り付けられている面が表面となる。
【００２１】
下段分割パネル１０にはその上部の単板積層材１４に図５に示すように嵌合孔１９が形成され、その下部の単板積層材１３に図８に示すようにランナーの延びる方向に沿って延びる直線状溝２０が形成されている。
【００２２】
中段分割パネル１１にはその上部と下部の単板積層材１３、１４に嵌合孔２１が図９に示すように左右方向に所定間隔を開けて形成されている。上段分割パネル１２にはその下部の単板積層材１３に嵌合孔２２が形成されている。その下段分割パネル１０、中段分割パネル１１、上段分割パネル１２は木製の継ぎ手部材２３’を各嵌合孔１９、２１、２２に差し込んでこれらのパネルを連結することにより一体化される。
【００２３】
その下段分割パネル１０、中段分割パネル１１、上段分割パネル１２の左右方向両端部の単板積層材１５、１６には図６、図７に示すように上下方向に延びる嵌入溝２３が形成されている。
【００２４】
この嵌入溝２３には図１０に示すようにアルミニウム製の棚柱２４がそれぞれ嵌入される。その棚柱２４は断面が長方形状を呈しており、その棚柱２４には間仕切り用パネル９の表面と平行となる面の側に上下方向に間隔を開けて、後述する取り付け金具が装着される装着孔２４ａが適宜個数形成されている。
【００２５】
また、その棚柱２４には間仕切り用パネル９の厚さ方向と平行となる面にネジ挿通孔２４ｂが上下方向に所定間隔を開けて形成されている。その棚柱２４は下段分割パネル１０の下面と棚柱２４の下面とを揃えて、ネジ２５により間仕切り用パネル９に固定される。
【００２６】
この間仕切り壁ユニットでは、ここでは、図１に示すように、張り始め側の壁３から張り終わり側の壁４までの間に３枚の間仕切り用パネル９が用いられ、この３枚の間仕切り用パネル９によって室内が二つに仕切られるようになっている。
【００２７】
棚柱２４は図１１に示すように張り始め側の間仕切り用パネル９と中間の間仕切り用パネル９とについては、これらの間仕切り用パネル９の左右方向一方側の端部の単板積層材１５に固定され、張り仕舞い側の間仕切り用パネル９についてはこの間仕切り用パネル９の左右方向両端部の単板積層材１５、１６に固定される。
【００２８】
その張り仕舞い側の間仕切り用パネル９の単板積層材１６への棚柱２４への取り付けに際しては、図１２に示すように、例えば、見切り材２６を棚柱２４にあてがって、ネジ挿通孔２４ｂに電動ドリル２７’の刃２５’を挿通し、電動ドリル２７’を用いて見切り材２６にネジ挿通孔２６ａを形成し、ついで、図１３（ａ）に矢印Ａで示すように、間仕切り用パネル９の嵌入溝２３に棚柱２４を挿入し、ついで、ネジ挿通孔２４ｂ、ネジ挿通孔２６ａの高さ方向の位置を揃え、図１３（ｂ）に示すように、ネジ２５を用いてその張り仕舞い側の間仕切り用パネル９に棚柱２４と見切り材２６とを固定する。
【００２９】
下段分割パネル１０の下部の単板積層材１３の直線状溝２０には、ランナーの延びる方向に延びる継ぎ手板２７が取り付けられる。この継ぎ手板２７は、現場の寸法に合うように適宜カットされ、図１４（ａ）、（ｂ）に示すように適宜箇所がビス２８、２９により固定されている。
【００３０】
上段分割パネル１２はその下部が現場の天井高さに合わせて切断され、下段分割パネル１０、中段分割パネル１１、上段分割パネル１２は、継ぎ手板２７を下段パネル１０に取り付け、上段分割パネル１２の上下方向寸法を現場の寸法に合わせて切断した後、図５、図１５に示すように、既述した木製の継ぎ手部材２３’により相互に連結される。この木製の継ぎ手部材２３’を下段分割パネル１０の上部の単板積層材１４の嵌合孔１９、中段分割パネル１１の上部の単板積層材１４の嵌合孔２１への差し込みは、例えば、嵌合孔１９、２１の周壁に酢酸ビニール系接着剤を塗布し、継ぎ手部材２３’の頭部をプラスチック製のハンマー（図示を略す）により軽く叩くことにより行う。中段分割パネル１１の下部の単板積層材１３の嵌合孔２１への継ぎ手部材２３’の差し込み、上段分割パネル１２の下部の単板積層材１３の嵌合孔２２への継ぎ手部材２３’の差し込みは、嵌合孔２２の周壁に酢酸ビニール系接着剤を塗布し、継ぎ手部材２３’の頭部を差し込むことにより行う。
【００３１】
ついで、棚柱２４の長さを天井高さに合わせて切断し、既述したようにネジ２５を用いて間仕切り用パネル９の左右方向両端部の嵌入溝２３、又は、一方側の嵌入溝２３に固定する。これにより、張り始め側の間仕切り用パネル９、中間の間仕切り用パネル９、張り仕舞い側の間仕切り用パネル９が製作される。
【００３２】
次に、張り始め側の壁３に見切り材３０を図１１に示すように固定する。この見切り材３０の壁３への固定は、例えば、図１６（ａ）に示すように、張り始め側の間仕切り用パネル９を壁３に押し当て、鉛筆等を用いて墨出しを行い、見切り材３０を墨出し線に沿って位置決めし、図１６（ｂ）に示すように、見切り材３０の上下方向適宜箇所をネジ３１を用いて固定する。同様に張り仕舞い側の壁４に見切り材３０’を固定する。
【００３３】
ついで、図１７に示すように、張り始め側の間仕切り用パネル９を床用ランナー５の取り付け壁５ａ、天井用ランナー６の取り付け壁６ａに立て掛けると共に、棚柱２４を見切り材３０と張り始め側の間仕切り用パネル９の端部との間にスペーサ（間隔調整部材）を介在させてこのスペーサに張り始め側の間仕切り用パネル９の端部を突き当てることにより、棚柱２４と見切り材３０との間に一定間隔を開け、ついで、図１８に示すように、下段分割パネル１０の継ぎ手板２７がネジ３２により取り付け壁５ａに締結される。また、上段分割パネル１２の単板積層材１４がネジ３３により取り付け壁６ａに締結される。これにより、張り始め側の間仕切り用パネル９が床用ランナー５と天井用ランナー６とに沿ってこれに位置決め固定される。
【００３４】
次に、図１１に示すように、中間の間仕切り用パネル９の棚柱２４を張り始め側の間仕切り用パネル９の嵌入溝２３に嵌入させて中間の間仕切り用パネル９の位置決めを行い、同様の作業により、中間の間仕切り用パネル９を床用ランナー５と天井用ランナー６とに沿ってこれに位置決め固定する。
【００３５】
ついで、張り仕舞い側の間仕切りパネル９を同様の作業により床用ランナー５と天井用ランナー６とに固定する。これにより、図１９に示すように張り始め側の間仕切り用パネル９、中間の間仕切り用パネル９、張り仕舞い側の間仕切りパネル９が整列されて床用ランナー５と天井用ランナー６とに固定される。
【００３６】
ついで、図１１に示すように、張り始め側の間仕切りパネル９の棚柱２４と見切り材３０との間にフィラー材３４を貼り付ける。また、張り仕舞い側の間仕切りパネル９の見切り材２６と見切り材３０’との間にフィラー材３５を貼り付ける。これにより、張り仕舞い側の間仕切りパネル９の見切り材２６と見切り材３０’との間の隙間が塞がれる。
【００３７】
次に、図７に示す下段分割パネル１０の上端部と中段分割パネル１１の下端部との間の隙間３７、中段分割パネル１１の上端部と上段分割パネル１２の下端部との間の隙間３８に図２０（ａ）、（ｂ）に目地見切り材３６を貼り付ける。この目地見切り材３６の隙間３７、３８への貼り付けには例えば酢酸ビニール系接着剤を用いる。
【００３８】
ついで、図１に示すように、幅木３９、４０を用いて下段分割パネル１０の下部と上段分割パネル１２の上部とを縁取る。この幅木３９、４０の貼り付けにも同様に酢酸ビニール系接着剤を用いる。
【００３９】
この間仕切り壁の棚柱２４間には、図２１に示す棚板４１、図２２に示すクロゼットセット４２、図２３に示す本棚セット４３等の各種の棚板、収納ボックス、図２４に示すハンガーパイプセット４４、図２５に示す吊り戸セット４５が取り付けられる。棚板４１、クロゼットセット４２、本棚セット４３、ハンガーパイプセット４４、吊り戸セット４５には、その背部又は側部に左右方向に一対の取り付け金具４６が取り付けられ、これらはこの取り付け金具４６を挿着孔２４ａに差し込んで、棚柱２４、２４に固定される。図２６にはこれらの各種セットを棚柱２４に差し込んで、取り付けた状態が一例として示されている。
【００４０】
この発明の実施の形態によれば、一方の壁３から他方の壁４に向かって床１に一直線上に配設された床用ランナー５に下端部が装着されると共に床用ランナー５の真上に位置されて一方の壁３から他方の壁４に向かって天井に配設された天井用ランナ６ーに上端部が装着される矩形状の間仕切り用パネル９を設け、この間仕切り用パネル９の左右方向両側の上下方向に延びる側端部に上下方向に延びる嵌入溝２３を形成し、棚板４１等の取り付け金具４６を装着する装着孔２４ａが上下方向に間隔を開けて形成された棚柱２４を嵌入溝２３に嵌入させる構成としたので、外観上の見栄えが良好で、棚板４１等の水平取り付け精度を確保することができる。
【００４１】
また、間仕切り壁９を水平方向に分割された複数個の分割パネルから構成したので、運搬、施工が容易である。また、このように、間仕切り壁を複数個の分割パネルから構成した場合であっても、棚柱２４が連結用補強部材としての機能を果たすので、その間仕切りパネル９の強度の維持を図ることができる。
【００４２】
更に、間仕切り壁９を複数個の分割パネルから構成したので、図２７に示すように、ドアの取り付け開口４７、図２８に示すように、窓開口４８を形成するのも容易となる。
【図面の簡単な説明】
【００４３】
【図１】本発明に係わる間仕切り壁ユニットの完成状態の一例を示す室内図である。
【図２】本発明に係わる間仕切り壁ユニットを配設する前の状態を示す室内図である。
【図３】床用ランナーと天井用ランナーとの配設の一例を示す説明図であって、（ａ）は両ランナーの取り付け状態を示し、（ｂ）はその両ランナーの室内への配設状態を示す。
【図４】本発明に係わる間仕切り用パネルの一例を示す平面図である。
【図５】図４に示す間仕切り用パネルの縦断面図である。
【図６】図４に示す間仕切り用パネルの横断面図である。
【図７】図４に示す間仕切り用パネルを矢視Ｙ方向から目視した図である。
【図８】図４に示す間仕切り用パネルの底面図である。
【図９】図４に示すＸ−Ｘ線に沿う断面図である。
【図１０】本発明に係わる棚柱を間仕切り用パネルに取り付ける状態を説明するための分解斜視図である。
【図１１】図１に示す間仕切り壁ユニットの横断面図である。
【図１２】図１１に示す見切り材へのネジ孔の形成を説明するための図である。
【図１３】図１に示す張り仕舞い側の間仕切り用パネルへの棚柱の取り付けを説明するための説明図であって、（ａ）は張り仕舞い側の間仕切り用パネルへの棚柱の取り付ける前の状態を示し、（ｂ）は張り仕舞い側の間仕切り用パネルの両側端部に棚柱が取り付けられた状態を示す。
【図１４】図１に示す下段パネルへの継ぎ手板の取り付けを説明するための説明図であって、（ａ）はその下段パネルの部分縦断面図を示し、（ｂ）はその正面図を示す。
【図１５】図１に示す下段パネルと中段パネルと上段パネルとの連結状態を説明するための図である。
【図１６】図１に示す張り始め側の壁への見切り材の取り付けの一例を示す説明図であって、（ａ）はその墨出しの説明図であり、（ｂ）は張り始め側の壁に見切り材が取り付けられた状態を示す図である。
【図１７】張り始め側の間仕切り用パネルが配設された状態を示す室内図である。
【図１８】図１７に示す間仕切り用パネルのランナーへの固定状態を示す縦断面図である。
【図１９】張り始め側から張り仕舞い側に向かって間仕切り用パネルが配設された状態を示す室内図である。
【図２０】図１に示す分割パネル間の隙間に目地見切り材を取り付ける状態を示す説明図であって、（ａ）は目地見切り材が取り付けられた分割パネルの部分断面図であり、（ｂ）は（ａ）に示す目地見切り材の部分拡大斜視図である。
【図２１】図１１に示す棚柱に取り付けられる棚板セットの一例を示す斜視図である。
【図２２】図１１に示す棚柱に取り付けられるクローゼットセットの一例を示す斜視図である。
【図２３】図１１に示す棚柱に取り付けられる本箱セットの一例を示す斜視図である。
【図２４】図１１に棚柱に取り付けられるハンガーセットの一例を示す斜視図である。
【図２５】図１１に示す棚柱に取り付けられる吊り戸セットの一例を示す斜視図である。
【図２６】図２１〜図２５に示す各種セットが取り付けられた間仕切り壁ユニットの一例を示す斜視図である。
【図２７】本発明に係わる間仕切り壁ユニットを用いてドア取り付け開口を形成した状態を示す説明図である。
【図２８】本発明に係わる間仕切り壁ユニットを用いて窓開口を形成した状態を示す説明図である。
【符号の説明】
【００４４】
１…床
２…天井
３、４…壁
９…間仕切り用パネル
２３…嵌入溝
２４…棚柱
２４ａ…装着孔
４６…取り付け金具
【図１】
2006112103.tif 000003
【図２】
2006112103.tif 000004
【図３】
2006112103.tif 000005
【図４】
2006112103.tif 000006
【図５】
2006112103.tif 000007
【図６】
2006112103.tif 000008
【図７】
2006112103.tif 000009
【図８】
2006112103.tif 000010
【図９】
2006112103.tif 000011
【図１０】
2006112103.tif 000012
【図１１】
2006112103.tif 000013
【図１２】
2006112103.tif 000014
【図１３】
2006112103.tif 000015
【図１４】
2006112103.tif 000016
【図１５】
2006112103.tif 000017
【図１６】
2006112103.tif 000018
【図１７】
2006112103.tif 000019
【図１８】
2006112103.tif 000020
【図１９】
2006112103.tif 000021
【図２０】
2006112103.tif 000022
【図２１】
2006112103.tif 000023
【図２２】
2006112103.tif 000024
【図２３】
2006112103.tif 000025
【図２４】
2006112103.tif 000026
【図２５】
2006112103.tif 000027
【図２６】
2006112103.tif 000028
【図２７】
2006112103.tif 000029
【図２８】
2006112103.tif 000030